(57)【要約】検査情報表示装置、方法およびプログラムにおいて、医用画像等の患者に関するデータを適切な順序で参照することができるようにする。表示制御部２１が、患者に関するデータが存在することを表す１以上の検査情報を、基準時刻からの経過時間と対応づけてディスプレイ１４に表示する。基準時刻となり得る時刻が複数存在する場合、選択部２２が、複数の時刻から特定の時刻を基準時刻として選択する。特定の時刻としては、例えば、複数の時刻のうち最も古い時刻とすればよい。
2019107134.tif 000002
【特許請求の範囲】
【請求項１】
患者に関するデータが存在することを表す１以上の検査情報を、基準時刻からの経過時間と対応づけて表示部に表示する表示制御部と、
前記基準時刻となり得る時刻が複数存在する場合、該複数の時刻から特定の時刻を前記基準時刻として選択する選択部とを備えた検査情報表示装置。
【請求項２】
前記選択部は、前記複数の時刻のうち最も古い時刻を前記基準時刻として選択する請求項１に記載の検査情報表示装置。
【請求項３】
前記選択部は、前記複数の時刻における最も新しい時刻から予め定められた時間内の時刻のうち、最も古い時刻を前記基準時刻として選択する請求項２に記載の検査情報表示装置。
【請求項４】
前記複数の時刻は、前記データの取得時刻を含む請求項１から３のいずれか１項に記載の検査情報表示装置。
【請求項５】
前記複数の時刻は、前記データを取得する検査の依頼時刻を含む請求項１から４のいずれか１項に記載の検査情報表示装置。
【請求項６】
前記複数の時刻は、前記患者が前記データを取得する施設に到着した時刻または該施設に向けて出発した時刻を含む請求項１から５のいずれか１項に記載の検査情報表示装置。
【請求項７】
前記複数の時刻は、前記データを取得する施設または緊急通報先に連絡があった時刻を含む請求項１から６のいずれか１項に記載の検査情報表示装置。
【請求項８】
前記複数の時刻は、前記患者に装着されたセンサが異常を検出した時刻を含む請求項１から７のいずれか１項に記載の検査情報表示装置。
【請求項９】
前記選択部は、前記データが前記患者を撮影することにより取得された複数の医用画像の画像データである場合、互いに関連する前記医用画像の撮影時刻のうち、最も古い撮影時刻を前記基準時刻として選択する請求項２に記載の検査情報表示装置。
【請求項１０】
前記表示制御部は、さらに前記基準時刻の種類を前記検査情報と対応づけて前記表示部に表示する請求項１から９のいずれか１項に記載の検査情報表示装置。
【請求項１１】
前記表示制御部は、前記複数の時刻のうち前記基準時刻とは異なる１以上の他の時刻からの経過時間をさらに前記表示部に表示する請求項１から１０のいずれか１項に記載の検査情報表示装置。
【請求項１２】
前記表示制御部は、前記データの解析結果をさらに前記経過時間と対応づけて前記表示部に表示する請求項１から１１のいずれか１項に記載の検査情報表示装置。
【請求項１３】
患者に関するデータが存在することを表す１以上の検査情報を、基準時刻からの経過時間と対応づけて表示部に表示するステップと、
前記基準時刻となり得る時刻が複数存在する場合、該複数の時刻から特定の時刻を前記基準時刻として選択するステップとを有する検査情報表示方法。
【請求項１４】
患者に関するデータが存在することを表す１以上の検査情報を、基準時刻からの経過時間と対応づけて表示部に表示する手順と、
前記基準時刻となり得る時刻が複数存在する場合、該複数の時刻から特定の時刻を前記基準時刻として選択する手順とをコンピュータに実行させる検査情報表示プログラム。
【発明の詳細な説明】
【技術分野】
【０００１】
本発明は、医用画像等の患者に関するデータと関連づけられた患者名、性別および年齢等の検査情報を表示する検査情報表示装置、方法およびプログラムに関する。
【背景技術】
【０００２】
近年、ＣＴ(Computed Tomography)装置およびＭＲＩ（Magnetic Resonance Imaging）
装置等の医療機器の進歩により、より質の高い高解像度の医用画像を用いての画像診断が可能となってきている。とくに、対象部位を脳とした場合において、ＣＴ画像およびＭＲＩ画像等を用いた画像診断により、脳梗塞および脳出血等の血管障害を起こしている領域を特定することができるため、特定した結果に基づいて適切な治療が行われるようになってきている。【０００３】
また、ディープラーニング等により学習がなされた判別器を用いたＣＡＤ（Computer-Aided Diagnosis）により医用画像を解析して、脳内における出血領域の位置、梗塞領域の位置、および出血体積等、並びに心臓における虚血領域を抽出し、これらを解析結果として取得することも行われている。このように、解析処理により生成される解析結果は、患者名、性別、年齢および医用画像を取得したモダリティ等の検査の内容等を表す検査情報と対応づけられて、データベースに保存されて、診断に供される。この際、医用画像を取得した放射線科等の技師が、医用画像に応じた読影医を決定し、医用画像およびＣＡＤによる解析結果が存在することを、決定した読影医に伝えるようにしている。読影医は、自身の読影端末において医用画像および解析結果の送信を受け、送信された医用画像および解析結果を参照して医用画像の読影を行い、読影レポートを作成する。なお、読影医の端末においてＣＡＤにより解析を行う場合もある．この場合は、読影医は自信の端末において医用画像のみの配信を受け、解析を行い、解析結果および医用画像を参照して読影レポートを作成する。【０００４】
このような医用画像の読影を行う際には、読影を行うべき医用画像の読影リストが読影端末に送られる。読影リストには、上述した検査情報が含まれる。このように、読影リストを読影端末に表示する際に、医用画像が供給されてからの経過時間を表す情報を表示する手法が提案されている（特許文献１参照）。特許文献１に記載された手法のように、医用画像が供給されてからの経過時間を表示することにより、読影医は、例えば経過時間が長い医用画像から優先的に読影を行う等、未読影の医用画像を読影する時期を決めることができる。
【先行技術文献】
【特許文献】
【０００５】
【特許文献１】特開２００９−０８６７３４号公報
【発明の概要】
【発明が解決しようとする課題】
【０００６】
ここで、特許文献１に記載されたように、医用画像が供給されてからの経過時間に代えて、患者が病院に到着した時刻、または緊急搬送先に電話があった時刻等を基準とし、基準時刻からの経過時間を表示することも考えられる。一方、読影をする１つの医用画像に対して、患者が病院に到着した時刻、緊急搬送先に電話があった時刻、医師が撮影を依頼した時刻、撮影を行った時刻、および撮影により取得した医用画像を供給した時刻等、経過時間の計測の基準となる複数の時刻が存在する場合がある。このように複数の時刻が存在する場合、いずれの時刻を基準とするかにより、経過時間が大きく異なる。【０００７】
例えば、ある患者の医用画像（第１の医用画像とする）について、医用画像が撮影された時刻からの経過時間が表示され、別の患者の医用画像（第２の医用画像とする）について、患者が病院に到着した時刻からの経過時間が表示されているものとする。この場合において、第１の医用画像の患者が先に病院に到着していたとしても、第１の医用画像の患者の病院への到着時間と、第２の医用患者の病院への到着時間との差があまりない場合、第１の医用画像の撮影までの時間を考えると、読影リストにおいて、第２の医用画像についての経過時間は、第１の医用画像についての経過時間よりも長いものとなる。このため、読影リストの経過時間に基づくと、読影医は第２の医用画像を優先的に読影するようになる。しかしながら、実際には第１の医用画像の患者の方が先に病院に到着しているため、第２の医用画像よりも第１の医用画像の方を先に読影すべきである。このように、経過時間の計測の基準となる時刻が複数存在する場合、基準時刻を適切に決めないと、医用画像の読影の順序に混乱を来す可能性がある。【０００８】
本発明は上記事情に鑑みなされたものであり、医用画像等の患者に関連するデータを適切な順序で参照することができるようにすることを目的とする。
【課題を解決するための手段】
【０００９】
本発明による検査情報表示装置は、患者に関するデータが存在することを表す１以上の検査情報を、基準時刻からの経過時間と対応づけて表示部に表示する表示制御部と、
基準時刻となり得る時刻が複数存在する場合、複数の時刻から特定の時刻を基準時刻として選択する選択部とを備える。【００１０】
「データ」とは、患者に対して行った検査の結果取得されるデータであり、具体的には、血液検査の結果、心電図および血圧等のバイタルデータ、並びに医用画像等の画像データが挙げられる。【００１１】
「検査情報」とは、データを取得した患者名、性別、年齢、および医用画像を取得したモダリティ等の、検査および検査により取得されるデータの内容等を表す任意の情報を意味する。【００１２】
なお、本発明による検査情報表示装置においては、選択部は、複数の時刻のうち最も古い時刻を基準時刻として選択するものであってもよい。【００１３】
また、本発明による検査情報表示装置においては、選択部は、複数の時刻における最も新しい時刻から予め定められた時間内の時刻のうち、最も古い時刻を基準時刻として選択するものであってもよい。【００１４】
また、本発明による検査情報表示装置においては、複数の時刻は、データの取得時刻を含むものであってもよい。【００１５】
また、本発明による検査情報表示装置においては、複数の時刻は、データを取得する検査の依頼時刻を含むものであってもよい。【００１６】
また、本発明による検査情報表示装置においては、複数の時刻は、患者がデータを取得する施設に到着した時刻または施設に向けて出発した時刻を含むものであってもよい。【００１７】
また、本発明による検査情報表示装置においては、複数の時刻は、データを取得する施設または緊急通報先に連絡があった時刻を含むものであってもよい。【００１８】
また、本発明による検査情報表示装置においては、複数の時刻は、患者に装着されたセンサが異常を検出した時刻を含むものであってもよい。【００１９】
また、本発明による検査情報表示装置においては、選択部は、データが患者を撮影することにより取得された複数の医用画像の画像データである場合、互いに関連する医用画像の撮影時刻のうち、最も古い撮影時刻を基準時刻として選択するものであってもよい。【００２０】
また、本発明による検査情報表示装置においては、表示制御部は、さらに基準時刻の種類を検査情報と対応づけて表示するものであってもよい。【００２１】
また、本発明による検査情報表示装置においては、表示制御部は、複数の時刻のうち基準時刻とは異なる１以上の他の時刻からの経過時間をさらに表示部に表示するものであってもよい。【００２２】
また、本発明による検査情報表示装置においては、表示制御部は、データの解析結果をさらに経過時間と対応づけて表示部に表示するものであってもよい。【００２３】
本発明による検査情報表示方法は、患者に関するデータが存在することを表す１以上の検査情報を、基準時刻からの経過時間と対応づけて表示部に表示するステップと、
基準時刻となり得る時刻が複数存在する場合、複数の時刻から特定の時刻を基準時刻として選択するステップとを有する。【００２４】
本発明による検査情報表示プログラムは、患者に関するデータが存在することを表す１以上の検査情報を、基準時刻からの経過時間と対応づけて表示部に表示する手順と、
基準時刻となり得る時刻が複数存在する場合、複数の時刻から特定の時刻を基準時刻として選択する手順とをコンピュータに実行させる。【００２５】
本発明による他の検査情報表示装置は、コンピュータに実行させるための命令を記憶するメモリと、
記憶された命令を実行するよう構成されたプロセッサとを備え、プロセッサは、
患者に関するデータが存在することを表す１以上の検査情報を、基準時刻からの経過時間と対応づけて表示部に表示し、
基準時刻となり得る時刻が複数存在する場合、複数の時刻から特定の時刻を基準時刻として選択する処理を実行する。
【発明の効果】
【００２６】
本発明によれば、患者に関するデータが存在することを表す１以上の検査情報を、基準時刻からの経過時間と対応づけて表示部に表示する。この際に、基準時刻となり得る時刻が複数存在する場合、複数の時刻から特定の時刻が基準時刻として選択される。このため、検査情報を見た読影医等は、患者に関するデータについての、選択された基準時刻からの経過時間を知ることができる。したがって、選択された基準時刻からの経過時間に基づくことにより、適切な順序で患者に関するデータを参照することができる。
【図面の簡単な説明】
【００２７】
【図１】本発明の実施形態による検査情報表示装置を適用した医療情報システムの概略構成を示す図
【図２】本発明の第１の実施形態による検査情報表示装置の概略構成を示す図
【図３】第１の実施形態において時刻と対応づけられた出来事の内容を示す図
【図４】読影リストを示す図
【図５】第１の実施形態において行われる処理を示すフローチャート
【図６】第２の実施形態において時刻と対応づけられた出来事を示す図
【図７】読影リストの他の例を示す図
【図８】読影リストの他の例を示す図
【発明を実施するための形態】
【００２８】
以下、図面を参照して本発明の実施形態について説明する。図１は本発明の第１の実施形態による検査情報表示装置を適用した医療情報システムの概略構成を示す図である。図１に示す医療情報システム１は、公知のオーダリングシステムを用いた診療科の医師からの検査オーダーに基づいて、被写体の検査対象部位の撮影、撮影により取得された医用画像の保管、読影医による医用の読影と読影レポートの作成、および依頼元の診療科の医師による読影レポートの閲覧と読影対象の医用画像の詳細観察とを行うためのシステムである。図１に示すように、医療情報システム１は、複数のモダリティ（撮影装置）２、読影端末である複数の読影ワークステーション（以下、読影ＷＳとする）３、診療科ワークステーション（以下、診療科ＷＳとする）４、画像サーバ５、画像データベース６、読影レポートサーバ７、および読影レポートデータベース８が、有線または無線のネットワーク９を介して互いに通信可能な状態で接続されて構成されている。なお、読影ＷＳ３が、本実施形態の検査情報表示装置を内包する。
【００２９】
各機器は、医療情報システム１の構成要素として機能させるためのアプリケーションプログラムがインストールされたコンピュータである。アプリケーションプログラムは、ＤＶＤ（Digital Versatile Disc）あるいはＣＤ−ＲＯＭ（Compact Disc Read Only Memory）等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じて医師が使用するコンピュータにダウンロードされ、インストールされる。
【００３０】
モダリティ２は、被写体の診断対象となる部位を撮影することにより、診断対象部位を表す医用画像を生成する装置である。具体的には、ＣＴ装置、ＭＲＩ装置、およびＰＥＴ（Positron Emission Tomography)装置等である。モダリティ２により生成された医用画像は画像サーバ５に送信され、保存される。
【００３１】
読影ＷＳ３は、第１の実施形態による検査情報表示装置を内包するものである。読影ＷＳ３の構成については後述する。
【００３２】
診療科ＷＳ４は、診療科の医師が画像の詳細観察、読影レポートの閲覧、および電子カルテの作成等に利用するコンピュータであり、処理装置、高精細ディスプレイ、並びにキーボードおよびマウス等の入力装置により構成される。診療科ＷＳ４では、画像サーバ５に対する画像の閲覧要求、画像サーバ５から受信した画像の表示、画像中の病変らしき部分の自動検出または強調表示、読影レポートサーバ７に対する読影レポートの閲覧要求、および読影レポートサーバ７から受信した読影レポートの表示等の各処理が、各処理のためのソフトウェアプログラムを実行することにより行われる。
【００３３】
画像サーバ５は、汎用の比較的処理能力の高いコンピュータにデータベース管理システム（DataBase Management System: DBMS）の機能を提供するソフトウェアプログラムがインストールされたものである。また、画像サーバ５は画像データベース６が構成される大容量ストレージを備えている。このストレージは、画像サーバ５とデータバスによって接続された大容量のハードディスク装置であってもよいし、ネットワーク９に接続されているＮＡＳ（Network Attached Storage）およびＳＡＮ（Storage Area Network）に接続されたディスク装置であってもよい。また、画像サーバ５は、モダリティ２からの医用画像の登録要求を受け付けると、その医用画像をデータベース用のフォーマットに整えて画像データベース６に登録する。
【００３４】
画像データベース６には、モダリティ２において取得された医用画像の画像データと付帯情報とが登録される。付帯情報には、例えば、個々の医用画像を識別するための画像ＩＤ、被写体を識別するための患者ＩＤ(identification)、検査を識別するための検査ＩＤ、医用画像毎に割り振られるユニークなＩＤ（ＵＩＤ：unique identification）、その医用画像が生成された検査日、検査時刻、その医用画像を取得するための検査において使用されたモダリティの種類、患者氏名、年齢、性別等の患者情報、検査部位（撮影部位）、撮影情報（撮影プロトコル、撮影シーケンス、撮像手法、撮影条件、造影剤の使用等）、１回の検査により複数の医用画像を取得したときのシリーズ番号あるいは採取番号等の情報が含まれうる。これらの情報のうちの一部または全部が、検査情報となり得る。
【００３５】
また、画像サーバ５は、読影ＷＳ３からの閲覧要求をネットワーク９経由で受信すると、画像データベース６に登録されている医用画像を検索し、抽出された医用画像を要求元の読影ＷＳ３に送信する。
【００３６】
読影レポートサーバ７は、汎用のコンピュータにデータベース管理システム（DBMS）の機能を提供するソフトウェアプログラムが組み込まれ、読影ＷＳ３からの読影レポートの登録要求を受け付けると、その読影レポートをデータベース用のフォーマットに整えて読影レポートデータベース８に登録する。
【００３７】
読影レポートデータベース８には、例えば、読影対象の医用画像を識別する画像ＩＤ、読影を行った画像診断医を識別するための読影医ＩＤ、病変名、病変の位置情報、および所見等の情報が記録された読影レポートが登録される。
【００３８】
ネットワーク９は、病院内の各種機器を接続する有線または無線のローカルエリアネットワークである。読影ＷＳ３が他の病院あるいは診療所に設置されている場合には、ネットワーク９は、各病院のローカルエリアネットワーク同士をインターネットまたは専用回線で接続した構成としてもよい。いずれの場合にも、ネットワーク９は光ネットワーク等の医用画像の高速転送が実現可能な構成にすることが好ましい。
【００３９】
以下、本実施形態による読影ＷＳ３について詳細に説明する。読影ＷＳ３は、医用画像の読影医が、医用画像の読影および読影レポートの作成に利用するコンピュータであり、処理装置、高精細ディスプレイ、並びにキーボードおよびマウス等の入力装置により構成される。読影ＷＳ３では、画像サーバ５に対する医用画像の閲覧要求、画像サーバ５から受信した医用画像に対する各種画像処理、医用画像の表示、医用画像の解析による医用画像中の構造物および病変らしき部分の自動検出および強調表示、読影レポートの作成の支援、読影レポートサーバ７に対する読影レポートの登録要求と閲覧要求、並びに読影レポートサーバ７から受信した読影レポートの表示等の各処理が、各処理のためのソフトウェアプログラムを実行することにより行われる。なお、これらの処理は、周知のソフトウェアプログラムにより行われるため、ここでは詳細な説明は省略する。なお、各種画像処理および医用画像の解析を読影ＷＳ３において行わず、別途画像処理サーバおよび解析サーバをネットワーク９に接続しておき、読影ＷＳ３からの処理の要求に応じて、画像処理サーバおよび解析サーバが行うようにしてもよい。
【００４０】
読影ＷＳ３には、第１の実施形態による検査情報表示プログラムがインストールされてなる。検査情報表示プログラムは、ＤＶＤあるいはＣＤ−ＲＯＭ等の記録媒体に記録されて配布され、その記録媒体からコンピュータにインストールされる。または、ネットワークに接続されたサーバコンピュータの記憶装置、もしくはネットワークストレージに、外部からアクセス可能な状態で記憶され、要求に応じて読影ＷＳ３にダウンロードされ、インストールされる。
【００４１】
図２は、検査情報表示プログラムをインストールすることにより実現される、本発明の第１の実施形態による検査情報表示装置の概略構成を示す図である。図２に示すように、検査情報表示装置１０は、標準的なコンピュータの構成として、ＣＰＵ（Central Processing Unit）１１、メモリ１２およびストレージ１３を備えている。また、検査情報表示装置１０には、高精細な液晶ディスプレイ等のディスプレイ１４、並びにキーボードおよびマウス等の入力部１５が接続されている。なお、検査情報表示装置１０は、読影ＷＳ３に内包されるものとなる。
【００４２】
ストレージ１３は、ハードディスクまたはＳＳＤ（Solid State Drive）等のストレージデバイスからなる。ストレージ１３には、ネットワーク９を経由して画像サーバ５から取得した、医用画像、医用画像の解析結果および検査情報表示装置１０の処理に必要な情報を含む各種情報が記憶されている。
【００４３】
また、メモリ１２には、検査情報表示プログラムが記憶されている。検査情報表示プログラムは、ＣＰＵ１１に実行させる処理として、患者に関するデータが存在することを表す１以上の検査情報を、基準時刻からの経過時間と対応づけてディスプレイ１４に表示する表示制御処理、および基準時刻となり得る時刻が複数存在する場合、複数の時刻から特定の時刻を基準時刻として選択する選択処理を規定する。なお、これらの処理は、画像サーバ５に読影すべき新たな医用画像が保存されていることの通知を、検査情報表示装置１０が画像サーバ５から受信することにより行われる。
【００４４】
そして、ＣＰＵ１１がプログラムに従いこれらの処理を実行することにより、コンピュータは、表示制御部２１および選択部２２として機能する。なお、本実施形態においては、ＣＰＵ１１が検査情報表示プログラムによって、各部の機能を実行するようにしたが、ソフトウェアを実行して各種の処理部として機能する汎用的なプロセッサとしては、ＣＰＵ１１の他、ＦＰＧＡ (Field Programmable Gate Array)等の製造後に回路構成を変更可能なプロセッサであるプログラマブルロジックデバイス（Programmable Logic Device:ＰＬＤ）を用いることができる。また、ＡＳＩＣ（Application Specific Integrated Circuit）等の特定の処理を実行させるために専用に設計された回路構成を有するプロセッサである専用電気回路等により、各部の処理を実行するようにしてもよい。
【００４５】
１つの処理部は、これら各種のプロセッサのうちの１つで構成されてもよいし、同種または異種の２つ以上のプロセッサの組み合わせ（例えば、複数のＦＰＧＡ、またはＣＰＵとＦＰＧＡの組み合わせ等）で構成されてもよい。また、複数の処理部を１つのプロセッサで構成してもよい。複数の処理部を１つのプロセッサで構成する例としては、第１に、クライアントやサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上を用いて構成される。
【００４６】
さらに、これらの各種のプロセッサのハードウェア的な構造は、より具体的には、半導体素子等の回路素子を組み合わせた電気回路（circuitry）である。
【００４７】
なお、メモリ１２には、読影ＷＳ３が検査情報表示装置１０以外の処理を行うための装置として機能する場合には、その機能を実行するプログラムが記憶される。例えば、医用画像の解析処理を行う場合には解析プログラムが記憶される。
【００４８】
表示制御部２１は、患者に関するデータを解析した解析結果およびデータに関連する検査情報をディスプレイ１４に表示する。とくに本実施形態においては、表示制御部２１は、検査情報を基準時刻からの経過時間および基準時刻の種類と対応づけてディスプレイ１４に表示する。ここで、本実施形態においては、データは患者をモダリティ２により撮影することにより取得された医用画像であるものとする。解析結果は、読影ＷＳ３にインストールされた解析プログラムにより取得される。解析結果は、例えば医用画像が脳のＣＴ画像である場合、脳内における出血領域の位置および梗塞領域の位置、並びに出血体積等である。また、本実施形態においては、解析プログラムにより、医用画像の読影の緊急度も取得される。具体的には、解析プログラムは、ストレージ１３に保存された、各種解析結果と緊急度とを対応づけた緊急度データベースを参照して、解析結果に基づいて緊急度を取得する。
【００４９】
表示制御部２１が表示する検査情報は、検査および検査により取得されるデータの内容等を表すものであり、例えば、患者名、性別、年齢、医用画像を取得したモダリティおよび緊急度等の情報を含む。検査情報および基準時刻は画像データベース６から取得される。表示制御部２１は、解析結果および検査情報を、読影を行うべき医用画像のリストである読影リストとしてディスプレイ１４に表示する。読影リストの表示については後述する。
【００５０】
選択部２２は、基準時刻となり得る時刻が複数存在する場合、複数の時刻から特定の時刻を基準時刻として選択する。ここで、患者の医用画像を取得するに際しては、様々な時刻が患者と関連づけられて、画像データベース６に登録されている。画像データベース６に登録される時刻は、例えば医用画像の取得時刻、医用画像を取得する検査の依頼時刻、医用画像を取得する施設である病院に患者が到着した時刻、患者が病院へ出発した時刻、病院に患者を搬送する旨の連絡があった時刻、および患者から緊急通報先（１１９番）に電話があった時刻等を含む。なお、患者が病院に到着した時刻は、患者が受け付けにおいて受け付けをした時刻および救急車が到着した時刻等が挙げられる。また、患者に装着されたセンサ（例えば、脈拍、血圧および血糖値等を検出する、リストバンド状または腕時計状のセンサ）が異常を検出した時刻が、画像データベース６に登録される場合もある。これらの時刻は、医用画像に対応づけられて読影リストに表示される、経過時間の基準時刻となり得るが、医用画像の取得に関する複数の時刻が画像データベース６に登録されると、基準時刻となり得る時刻が複数存在することとなる。
【００５１】
選択部２２は、基準時刻となり得る時刻が複数存在する場合、複数の時刻のうち最も古い時刻を基準時刻として選択する。
【００５２】
ところで、ある患者が数年前に同じ病院において医用画像を取得しており、その医用画像の取得時刻が画像データベース６に登録されているとする。ここで、その患者が緊急搬送されてその患者の医用画像が取得され、医用画像がその取得時刻と併せて画像データベース６に登録されたとする。このような場合において、同一患者に関して登録された複数の時刻のうち、最も古い時刻を基準時刻として選択した場合、数年前の時刻が基準時刻として選択される可能性がある。
【００５３】
このため、本実施形態においては、選択部２２は、複数の時刻のうち、最も新しい時刻から予め定められた時間内の時刻のうちの、最も古い時刻を基準時刻として選択する。なお、予め定められた時間としては、例えば６時間または１２時間等を用いればよい。例えば、図３に示すように、ある患者について、複数の時刻がその時刻における出来事の内容と対応づけられて画像データベース６に登録されていたとする。図３に示すように、２０１６年８月６日、２０１７年９月６日および２０１７年１１月１５日のそれぞれに時刻が登録されている。これらの日付における時刻のうち、ＣＴ撮影により取得された医用画像の読影の対象となるのは、２０１７年１１月１５日の１０時１５分に撮影された医用画像である。ここで、予め定められた時間を１２時間とすると、選択部２２は、２０１７年１１月１５日に登録された時刻のうち、２０１７年１１月１５日の１０時１５分から１２時間以内の時刻のうち、最も古い時刻である受付時刻を基準時刻として選択する。すなわち、選択部２２は、２０１７年１１月１５日の９時１３分を基準時刻として選択する。
【００５４】
なお、基準時刻となり得る時刻が１つのみしか画像データベース６に登録されていない場合、選択部２２は、登録された１つの時刻を基準時刻として選択する。
【００５５】
表示制御部２１は、上述したように、検査情報について、基準時刻からの経過時間および基準時刻の種類と対応づけて読影リストを生成し、ディスプレイ１４に表示する。図４は読影リストを示す図である。図４に示すように、読影リストＬ１には、患者名、性別、年齢、行った検査、並びに解析結果が示されている。なお、緊急度があるしきい値より大きい場合には、解析結果に「緊急」の表示がなされる。さらに、読影リストＬ１の各患者名においては、基準時刻からの経過時間が基準時刻の種類と対応づけられている。また、読影リストＬ１の下方には、現在時刻３０も表示される。読影リストＬ１に含まれる経過時間は、時間の経過により変化する。読影医は、読影する医用画像の患者名を、経過時間に応じて読影リストＬ１から選択する。これにより、読影ＷＳ３のディスプレイ１４には選択した患者の医用画像が表示される。読影医は表示された医用画像の読影を行う。
【００５６】
次いで、第１の実施形態において行われる処理について説明する。図５は第１の実施形態において行われる処理を示すフローチャートである。画像サーバ５に対して新たな医用画像が保存されたことの通知を読影ＷＳ３、すなわち検査情報表示装置１０が受信することにより処理が開始され、読影ＷＳ３にインストールされた解析プログラムにより、画像サーバ５から医用画像が取得され（ステップＳＴ１）、医用画像が解析されて解析結果が取得される（ステップＳＴ２）。
【００５７】
次いで、選択部２２が、画像データベース６を参照し、読影リストＬ１を表示するに際して、基準時刻となり得る時刻が複数存在するか否かを判定し（ステップＳＴ３）、ステップＳＴ３が肯定されると、複数の時刻のうち最も古い時刻を基準時刻として選択する（ステップＳＴ４）。ステップＳＴ３が否定されると画像データベース６に登録されている時刻を基準時刻として選択する（ステップＳＴ５）。
【００５８】
そして、表示制御部２１が、検査情報、解析結果、経過時間および基準時刻を含む読影リストＬ１をディスプレイ１４に表示し（ステップＳＴ６）、処理を終了する。
【００５９】
このように、本実施形態によれば、検査情報を基準時刻からの経過時間と対応づけて表示部に表示するに際し、基準時刻となり得る時刻が複数存在する場合、複数の時刻から特定の時刻を基準時刻として選択するようにした。このため、検査情報を見た読影医等は、患者に関するデータについての、選択された基準時刻からの経過時間を知ることができる。したがって、選択された基準時刻からの経過時間に基づくことにより、適切な順序により医用画像を読影することができる。
【００６０】
とくに、最も新しい時刻から予め定められた時間内の時刻のうち、最も古い時刻を基準時刻として選択することにより、数年前に医用画像を取得した際の時刻が基準時刻とされてしまうことを防止できる。
【００６１】
次いで、本発明の第２の実施形態について説明する。なお、第２の実施形態においては、装置の構成は上記第１の実施形態と同一であり、行われる処理のみが第１の実施形態と異なるため、ここでは装置についての詳細な説明は省略する。上記第１の実施形態においては、最も新しい時刻から予め定められた時間内の時刻のうち、最も古い時刻を基準時刻として選択している。第２の実施形態においては、データが患者を撮影することにより取得された複数の医用画像の画像データである場合において、互いに関連する医用画像の撮影時刻のうち、最も古い撮影時刻を基準時刻として選択するようにした点が第１の実施形態と異なる。
【００６２】
ここで、図６に示すように、ある患者について、複数の時刻がその時刻における出来事の内容と対応づけられて画像データベース６に登録されていたとする。すなわち、図６に示すように、患者が受け付けをした時刻である２０１７年１１月１５日の９時３０分、検査依頼の時刻である２０１７年１１月１５日の１０時５分、ＣＴ撮影の時刻である２０１７年１１月１５日の１０時３０分、ＭＲＩ撮影の時刻である２０１７年１１月１５日の１０時４３分、およびＰＥＴ撮影の時刻である２０１７／１１／１５日の１１時１２分が画像データベース６に登録されていたとする。ＣＴ画像、ＭＲＩ画像およびＰＥＴ画像は、同一日に取得されていることから、互いに関連した医用画像となる。
【００６３】
図６に示すように複数の時刻が出来事と対応づけられている場合、第２の実施形態においては、受け付けの時刻である２０１７年１１月１５日の９時３０分が基準時刻として選択される。第２の実施形態においては、ＣＴ画像、ＭＲＩ画像およびＰＥＴ画像が関連しているため、選択部２２は、これらの３つの時刻のうち、最も古いＣＴ撮影の時刻である２０１７年１１月１５日の１０時３０分を基準時刻として選択する。
【００６４】
このように、互いに関連する医用画像の撮影時刻のうち、最も古い撮影時刻を基準時刻として選択することによっても、基準時刻からの経過時間を参照することにより、適切な順序により患者に関するデータ、すなわち医用画像を読影することができる。
【００６５】
なお、上記各実施形態においては、検査情報と対応づけられたデータとして医用画像を用いているが、医用画像に代えて、血液検査の結果、心電図および血圧等の患者のバイタルデータを用いてもよい。
【００６６】
また、上記実施形態においては、１つの検査情報に対して１つの基準時刻を対応づけて表示している．しかしながら、１つの検査情報に対して基準時刻とは異なる１以上の他の時刻からの経過時間をさらに表示してもよい。例えば、図７に示すように、読影リストＬ１において、開成二郎さんを選択した際に、基準時刻以外の他の時刻（受け付け時刻および検査依頼時刻）並びに他の時刻からの経過時間を含むポップアップ３１を表示してもよい。なお、ポップアップ３１に代えて、他の時刻および他の時刻からの経過時間を、読影リストＬ１に含めて表示してもよい。
【００６７】
また、上記実施形態において、読影リストＬ１に、検査画像の解析結果を経過時間と対応づけて表示してもよい。例えば、図８に示すように、検査画像の解析結果のサムネイル画像を読影リストＬ１に表示するようにしてもよい。これにより、読影リストＬ１を参照することによって、各患者の大まかな解析結果を認識することができる。また、この場合において、読影リストＬ１における特定の患者のサムネイル画像を選択した際に、解析結果の画像を拡大表示してもよい。例えば、図８に示すように、開成二郎さんのサムネイル画像を選択した際に、解析結果画像３３を含むポップアップ３２を表示してもよい。なお、図８に示す解析結果画像においては、出血領域が太線によりマーキングされている。
【００６８】
以下、本実施形態の作用効果について説明する。
【００６９】
複数の時刻のうち最も古い時刻を基準時刻として選択することにより、データに関して最も長い経過時間を表示することができる。このため、データを参照する読影医等は、心理的にいずれのデータに対しても早急に参照を行うようになる。したがって、読影医等に対して、データの参照を促すことができる。
【００７０】
例えば、ある患者が数年前に健康診断等により医用画像を取得しており、その医用画像が病院内に保存されており、その患者が緊急搬送されて医用画像等のデータを取得する場合がある。このような場合において、複数の時刻のうち最も古い時刻を基準時刻として選択した場合、数年前の時刻が基準画像として選択されることとなってしまう。このため、複数の時刻のうち、最も新しい時刻から予め定められた時間内の時刻のうち、最も古い時刻を基準時刻として選択することにより、数年前のデータを取得した際の時刻が基準時刻とされてしまうことを防止できる。
【符号の説明】
【００７１】
１    医療情報システム
２    モダリティ
３    読影ワークステーション
４    診療科ワークステーション
５    画像サーバ
６    画像データベース
７    読影レポートサーバ
８    読影レポートデータベース
９    ネットワーク
１０    読影医決定装置
１１    ＣＰＵ
１２    メモリ
１３    ストレージ
１４    ディスプレイ
１５    入力部
２１    表示制御部
２２    選択部
３０    現在時刻
３１，３２    ポップアップ
３２    解析結果画像
【図１】
2019107134.tif 000003
【図２】
2019107134.tif 000004
【図３】
2019107134.tif 000005
【図４】
2019107134.tif 000006
【図５】
2019107134.tif 000007
【図６】
2019107134.tif 000008
【図７】
2019107134.tif 000009
【図８】
2019107134.tif 000010
【国際調査報告】
2019107134.tif 000011
2019107134.tif 000012
2019107134.tif 000013
2019107134.tif 000014